(57)【要約】【課題】結露を生じることなく、効率よく調和空気を吹出すことが可能な空気調和機を提供する。【解決手段】天井に埋設される筐体１と、筐体の底面に設けられた化粧パネル２と、化粧パネルに設けられ筐体の内部に室内の空気を吸込む吸込口３と、吸込口の周囲に設けられ室内へ空気を吹出す吹出口４と、吹出口に設けられ吹出す空気をガイドする吹出ガイド５と、吹出ガイドの下方に設けられ吸込口側の一端が回転軸により回動して風向制御する風向偏向板６とを備えた空気調和機において、風向偏向板の一端は、回転軸を中心とした円弧で形成された回転部６ａを備え、回転部と吹出ガイドとの隙間を塞ぐシール材７を備え、回転部と摺動する部分のシール材は、回転部に噛み合うように形成される。【選択図】  図１
2012154559.tif 000002
【特許請求の範囲】
【請求項１】
天井に埋設される筐体と、前記筐体の底面に設けられた化粧パネルと、前記化粧パネルに設けられ前記筐体の内部に室内の空気を吸込む吸込口と、前記吸込口の周囲に設けられ室内へ空気を吹出す吹出口と、前記吹出口に設けられ吹出す空気をガイドする吹出ガイドと、前記吹出ガイドの下方に設けられ前記吸込口側の一端が回転軸により回動して風向制御する風向偏向板とを備えた空気調和機において、
前記風向偏向板の前記一端は、前記回転軸を中心とした円弧で形成された回転部を備え、前記回転部と前記吹出ガイドとの隙間を塞ぐシール材を備え、前記回転部と摺動する部分の前記シール材は、前記回転部に噛み合うように形成されることを特徴とする空気調和機。
【請求項２】
請求項１において、前記吹出ガイドは、前記シール材への吹出し空気の流れを抑制するための凸部を備えることを特徴とする空気調和機。
【請求項３】
請求項１において、前記吹出ガイドは、上向きに凸形状のくぼみを下部に備え、前記くぼみに前記シール材がはめこまれることを特徴とする空気調和機。
【請求項４】
請求項２において、前記凸部は、前記吹出ガイドの外周下端を外側に伸ばすと共に、この伸ばした先端を更に下方に伸ばすことで形成されることを特徴とする空気調和機。
【請求項５】
請求項２において、前記凸部は、前記吹出口の長辺方向の全幅にわたって配置されることを特徴とする空気調和機。
【請求項６】
請求項１乃至５の何れかにおいて、前記風向偏向板が前記吹出口を塞ぐ状態では、前記風向偏向板の下面が前記化粧パネルの意匠面より上方に配置されることを特徴とする空気調和機。
【請求項７】
請求項１乃至６の何れかにおいて、前記風向偏向板の長辺方向の全幅にわたって、前記回転部の内部に円筒又は角筒の剛体を備えることを特徴とする空気調和機。
【発明の詳細な説明】
【技術分野】
【０００１】
本発明は空気調和機に関する。
【背景技術】
【０００２】
空気調和機は、室内空気を熱交換器に通して加熱，冷却，除湿などを行って、これを室内に吹出すことにより室内を空気調和する。室内機本体と組み合わせて風路を形成する化粧パネルと、その化粧パネルから外周の天井表面へ沿うように風を吹出す複数個の吹出口と、吹出し気流を上下方向に偏向させる回動軸線周りに回動自在の複数個の風向偏向板を備えている。これにより、天井面のスマッジングを抑制しながら、空気調和機からの気流が直接人体に当たることを防止し、空気調和機の下にいる人に与える冷風感を抑制することを特徴とした天井埋込型空気調和機としては、特開２０１０−０８４９９４号公報（特許文献１）に示されたものがある。
【先行技術文献】
【特許文献】
【０００３】
【特許文献１】特開２０１０−０８４９９４号公報
【発明の概要】
【発明が解決しようとする課題】
【０００４】
特許文献１の空気調和機では、次のような問題があった。  
風向偏向板は左右幅広に形成されるため、上下方向に撓みが生じる。したがって、風向偏向板を回動軸周りにスムーズに回動させるためには、風向偏向板と吹出ガイドとの間に撓みを見込んだ隙間を設けておく必要があった。
【０００５】
具体的には、風向偏向板を一端側で回動可能に取り付けた場合、冷房運転時下向きに回動させて冷風を下方に吹出す際に、風向偏向板の裏面側（天井側）は吹出口から吹出す冷風が接触し、反対の表面側（室内側）では室内の未調和の空気が接触する。このとき、風向偏向板と吹出ガイド間に隙間があると、そこから風向偏向板の表面側に冷風が漏れ出て風向偏向板の表面や吹出ガイドを冷やすことになる。そこに、未調和の含湿空気が接触すると、結露が生じて汚れや雑菌の繁殖の原因となるおそれがある。
【０００６】
本発明は、上記課題を解決するためになされたものであり、結露を防止し、効率よく調和空気を吹出すことを目的とする。
【課題を解決するための手段】
【０００７】
上記課題を解決するために、本発明は、天井に埋設される筐体と、前記筐体の底面に設けられた化粧パネルと、前記化粧パネルに設けられ前記筐体の内部に室内の空気を吸込む吸込口と、前記吸込口の周囲に設けられ室内へ空気を吹出す吹出口と、前記吹出口に設けられ吹出す空気をガイドする吹出ガイドと、前記吹出ガイドの下方に設けられ前記吸込口側の一端が回転軸により回動して風向制御する風向偏向板とを備えた空気調和機において、前記風向偏向板の前記一端は、前記回転軸を中心とした円弧で形成された回転部を備え、前記回転部と前記吹出ガイドとの隙間を塞ぐシール材を備え、前記回転部と摺動する部分の前記シール材は、前記回転部に噛み合うように形成されることを特徴とする。
【発明の効果】
【０００８】
本発明によれば、結露を防止し、効率よく調和空気を吹出すことができる。
【図面の簡単な説明】
【０００９】
【図１】本発明の実施例における空気調和機の吹出口部の縦断面図。
【図２】本発明の実施例における空気調和機の風向偏向板を閉じた状態の縦断面図。
【図３】本発明の実施例における空気調和機の全体の縦断面図。
【発明を実施するための形態】
【００１０】
以下、本発明の実施例を図面に基づいて説明する。  
図１は本発明の実施例における吹出口付近の縦断面図を示す。本実施例の空気調和機は、天井（天井面９の上部の空間）に埋設される筐体１と、筐体１の底面に設置された化粧パネル２と、化粧パネル２の実質的に中央に設けられ、筐体１の内部に室内空気を吸込む吸込口３と、吸込口３の周囲に設けられ、室内へ空気を吹出する吹出口４とを備える。吹出口４は、吸込口３の一辺に沿った長辺と、空気の吹出方向の短辺（図ではやや緩やかなくの字で示す）を有する風向制御用の風向偏向板６を備える。
【００１１】
図１は風向偏向板６が開いた状態を示す。風向偏向板６は、吸込口３側で回動する片持ち構造となっていて、その回転軸の一端が化粧パネル２に回動可能に設けられている。風向偏向板６の短辺の吸込口３側である回転部６ａは、風向偏向板６の回転軸を中心として円弧を描くように形成される。吹出ガイド５と風向偏向板６の回転部６ａとの隙間は、吹出口４の長辺方向の全幅にわたってシール材７で塞がれ、回転部６ａと摺動する部分のシール材７は、回転部６ａの円弧に噛み合うように形成される。これにより、風向偏向板６の滑らかな回動を阻害することなく、風向偏向板６がいかなる角度（開度）であっても吹出ガイド５と風向偏向板６の回転部６ａとの隙間から冷風の流出を防止することができる。したがって、風向偏向板６の表面や吹出ガイド５を冷やすことなく、結露の発生を抑制し、効率よく吹出口４から空気を供給することができる。
【００１２】
また風向偏向板６の上部に配置された吹出ガイド５には、吹出口４の長辺方向の全幅にわたって凸部５ａが一体で設けられている。具体的には、凸部５ａは吹出ガイド５の外周下端を外側に伸ばすと共に、その伸びた先端を更に下方に伸ばすことで形成する。凸部５ａを吹出ガイド５に設けることによって吹出ガイド５の下部に上向きに凸形状のくぼみを設けることとなり、このくぼみにシール材７をはめこむことでシール材７が冷気の流路から隠れるため、シール材７に冷気が接触しない構造となる。本実施例によれば、冷気を風向偏向板６の表面側に漏れさせないためのシール材７にそもそも冷気を当て難くすることができるので、より一層結露の発生を抑制することができる。更に、凸部５ａは吹出ガイド５から外側（図では右側）に出っ張っているため、吹出口４から流れる空気を外側に整流することができ、効率良く空気を導くことができる。
【００１３】
なお、凸部５ａは上記のように吹出口４の長辺方向の全幅にわたって設けるとよいが、吹出口４を通る風の分布に偏りがある場合等は、吹出口４の長辺方向の一部だけに設けるものでもよい。
【００１４】
さらに風向偏向板６の回転部６ａの内部に、風向偏向板６の長辺方向の全幅にわたって丸形又は角形の棒状（円筒又は角筒）の剛体８を設置することで、シール材７の反発および摩擦による外力の影響を抑制し、風向偏向板５をスムーズに回動することができる。
【００１５】
図２は風向偏向板６を閉じた状態の断面図である。ここで風向偏向板６全体を化粧パネル２の意匠面１２に対して、内側（上方）に配置された状態を維持する。空気調和機が設置される天井面９が歪んでいたり、化粧パネル２や風向偏向板６が設置後に撓んだりして、化粧パネル２の意匠面と風向偏向板６の表面にギャップが発生することがある。上記の歪みや撓みが生じた場合でも、意匠面１２よりも風向偏向板６の表面（下面）が外側（下方）に出っ張りにくくすることで、意匠性およびメンテナンス性に優れた、インテリアにマッチした化粧パネルを提供することができる。
【００１６】
図３は空気調和機の全体の縦断面図を示す。吸込口３から室内空気を吸込み、送風機１０で遠心方向に吹出された空気が熱交換器１１を通って冷媒と熱交換し、吹出口４を通って室内に調和空気が供給される。本実施例のものは断面図において吹出口４が吸込口３の両脇に２つ備えられているが、これに限られない。天井面９に設けられた化粧パネル２上に吸込口３と吹出口４を備える形状であれば、吹出口４の数は問わない。
【符号の説明】
【００１７】
１  筐体
２  化粧パネル
３  吸込口
４  吹出口
５  吹出ガイド
５ａ  凸部
６  風向偏向板
６ａ  風向偏向板の回転部
７  シール材
８  剛体
９  天井面
１０  送風機
１１  熱交換器
１２  意匠面
【図１】
2012154559.tif 000003
【図２】
2012154559.tif 000004
【図３】
2012154559.tif 000005